(57)【要約】【課題】エアフィルターがエアフィルター枠から少々浮き上がっていたとしても、そのエアフィルターの浮き上がりを修正でき、吸引ノズルの動きが妨げられずに清掃機能を確保できる空気調和機を提供すること。【解決手段】吸引ノズル５に、摺動方向に動くことでエアフィルターを本体に装着される方向にガイドするガイド部を構成することにより、エアフィルターが浮いていたとしても吸引ノズル５が動いていくと前記ガイド部でエアフィルターを本体に装着できるため、吸引ノズルの側面がエアフィルターに当たってしまうことがなく、掃除機能を確保することが可能である。【選択図】図１
2008256293.tif 000002
【特許請求の範囲】
【請求項１】
熱交換器と該熱交換器で熱交換された空気を室内に吹出すファンとを本体に収容した室内ユニットを有し、前記熱交換器の上流側に着脱自在に設けられたエアフィルターと、該エアフィルターに対向する吸込口を有し前記エアフィルターに摺動して前記エアフィルターに付着した塵埃を吸引する吸引ノズルを有する空気調和機であって、前記エアフィルターは前記本体の前方から着脱可能に保持されるとともに、前記吸引ノズルには摺動方向に動くことで前記エアフィルターを本体に装着される方向にガイドするガイド部を構成したことを特徴とする空気調和機。
【請求項２】
吸引ノズルに設けられたガイド部を傾斜面として構成したことを特徴とする請求項１に記載の空気調和機。
【請求項３】
吸引ノズルに設けられたガイド部にローラーを設けた構成としたことを特徴とする請求項１に記載の空気調和機。
【請求項４】
吸引ノズルに設けられたガイド部の位置は、エアフィルターに設けられた横桟に対向した位置となるよう構成したことを特徴とする請求項１〜３のいずれか１項に記載の空気調和機。
【発明の詳細な説明】
【技術分野】
【０００１】
本発明は、室内ユニットの空気吸込口に設けられたエアフィルターを自動的に清掃する機能を備えた空気調和機に関するものである。
【背景技術】
【０００２】
従来の室内ユニットの空気吸込口に設けられたエアフィルターを自動的に清掃する機能を備えた空気調和機の構成は次のようなものであった（例えば、特許文献１参照）。
【０００３】
図３から図５は空気調和機の室内ユニットを示しており、図３は室内ユニットの正面図、図４および図５はそれぞれ図３における線Ｉ−Ｉおよび線ＩＩ−ＩＩに沿った断面図である。また図６および図７はそれぞれ室内ユニットに設けられたフィルタ装置の斜線図および分解斜視図で、図８はフィルタ装置に設けられた吸引ノズルの外観を示す側面図と正面図である。
【０００４】
室内ユニット本体１３の内部には熱交換器１１と、熱交換器１１を通して室内空気を取り入れ、熱交換器１１で熱交換された空気を室内に吹き出すためのファン１２と、熱交換器１１の上流側に配設されたフィルタ装置１とが収納されており、本体１３の前面から上面に渡り形成された複数の吸込口（図示せず）からファン１２の動作により空気が吸い込まれ、空気中に漂う塵埃は、吸込口と熱交換器１１との間に設けられたフィルタ装置１により取り除かれる。このフィルタ装置１は、フィルタ枠２と、フィルタ枠２に取り付けられたエアフィルター６と、エアフィルター６の上流側の面に沿って左右方向（水平方向：矢印Ａ）に摺動自在の吸引ノズル５と、フィルタ枠２の下流側（本例では下側）の本体１３に取り付けられるとともに吸引ノズル５の一端が気密を保ちながら摺動自在に接続された吸い込みダクト３と、吸い込みダクト３に連結され空気とともに塵埃を吸引、排気する吸引排気装置７と、一端が吸引排気装置７に連結され、他端が室外に開口した排気ダクト８を備えている。吸引ノズル５は、図７および図８に示すように、中間部が屈曲した縦長に形成されて垂直方向に延び、エアフィルター６に面する側にスリット状の吸入口５ａが設けられている。吸引ノズル５を左右に摺動させる駆動手段は、吸引ノズル５の吸い込みダクト３側に連結された駆動用ワイヤ９と、駆動用ワイヤ９を駆動するための駆動モータ１０とで構成されている。なお、図４および図５に示されるエアフィルター６はフィルタ枠２に着脱自在に取り付けられているが、フィルタ枠２は本体１３の一部であってもよく、エアフィルター６を本体１３に固定し、着脱できない構成にすることもできる。図９はエアフィルター６を示しており、凹凸が少なく編成されたネット６ａを用いて構成するとともに、吸引ノズル５に設けた吸入口５ａが対面し、塵埃が付着する表面側をネット６ａとネット６ｂとの段差が付かないように形成している。
【０００５】
このように構成されたフィルタ装置１の動作について説明する。空気調和機本体１３の運転停止後に、吸引排気装置７が運転開始し、吸い込みダクト３に設置された吸引ノズル５に設けた吸入口５ａから空気を吸い込み始める。そして、エアフィルター６の片側端に位置していた吸引ノズル５が、駆動モータ１０に連結された駆動用ワイヤ９によって、図６および図７に示すように矢印Ａの方向に移動し、エアフィルター６の表面に付着した塵埃を吸引ノズル５に設けた吸入口５ａから吸引し、塵埃は吸い込みダクト３、吸引排気装置７を通り、排気ダクト８から室外へ排出される。ここで、吸引ノズル５がエアフィルター６の表面を全面清掃し、反対側の端部まで移動したときに駆動モータ１０は逆回転し、吸引ノズル５は初期の位置に戻る方向に移動して、再度エアフィルター６の表面を清掃することが可能となる。
【特許文献１】国際公開第２００４／０７９２７１号パンフレット
【発明の開示】
【発明が解決しようとする課題】
【０００６】
しかしながら、上記従来の構成では、エアフィルター６がエアフィルター枠２から浮き上がっていると、吸引ノズル５が移動していく際に吸引ノズル５の側面がエアフィルター６に当たってしまい、吸引ノズル５が移動できなくなってしまうという問題を有していた。
【０００７】
本発明は、前記課題を解決するもので、エアフィルターがエアフィルター枠から少々浮き上がっていたとしても、そのエアフィルターの浮き上がりを修正でき、吸引ノズルの動きが妨げられずに清掃機能を確保できる空気調和機を提供するものである。
【課題を解決するための手段】
【０００８】
前記従来の課題を解決するために、本発明の空気調和機は、吸引ノズルに摺動方向に動くことでエアフィルターを本体に装着される方向にガイドするガイド部を構成したことを特徴としたものである。
【発明の効果】
【０００９】
本発明の空気調和機は吸引ノズルに、摺動方向に動くことでエアフィルターを本体に装着される方向にガイドするガイド部を構成したことにより、エアフィルターが少々浮いていたとしても吸引ノズルが動いていくと前記ガイド部でエアフィルターを本体に装着できるため、吸引ノズルの側面がエアフィルターに当たってしまうことがなく、掃除機能を確保することが可能である。
【発明を実施するための最良の形態】
【００１０】
第１の発明は、熱交換器と該熱交換器で熱交換された空気を室内に吹出すファンとを本体に収容した室内ユニットを有し、前記熱交換器の上流側に着脱自在に設けられたエアフィルターと、該エアフィルターに対向する吸込口を有し前記エアフィルターに摺動して前記エアフィルターに付着した塵埃を吸引する吸引ノズルを有する空気調和機であって、前記エアフィルターは前記本体の前方から着脱可能に保持されるとともに、前記吸引ノズルには摺動方向に動くことで前記エアフィルターを本体に装着される方向にガイドするガイド部を構成したもので、この構成をなすことにより、エアフィルターが浮いていたとしても吸引ノズルが動いていくとガイド部によりエアフィルターを本体に装着できるため、吸引ノズルの側面がエアフィルターに当たってしまうことがなく、掃除機能を確保することが可能である。
【００１１】
第２の発明は、第１の発明のガイド部を傾斜面として構成したもので、この構成をなすことにより、エアフィルターが浮いていたとしても吸引ノズルが動いていくとガイド部の傾斜面によりエアフィルターを本体に装着できるため、吸引ノズルの側面がエアフィルターに当たってしまうことがなく、掃除機能を確保することが可能である。
【００１２】
第３の発明は、第１の発明のガイド部にローラーを設けた構成としたもので、この構成をなすことにより、エアフィルターが浮いていた場合に吸引ノズルが摺動方向に動くことでエアフィルターを本体に装着する方向にガイドする際の操作力が、ローラーで構成しているために非常に小さくすることが可能であり、吸引ノズルの駆動力を抑えることが可能である。
【００１３】
第４の発明は、第１〜３のいずれか１つの発明のガイド部の位置は、エアフィルターに設けられた横桟に対向した位置となるよう構成したもので、この構成をなすことにより、ガイド部がエアフィルターの柔らかい網の部分に接触することが無く、エアフィルターを
より確実に本体に装着する方向に作用することが可能であると共に、比較的脆弱な網の部分を破損することが無い。
【００１４】
以下、本発明の実施の形態について図面を参照しながら説明する。なお当該実施の形態により本発明が限定されるものではない。
【００１５】
（実施の形態１）
図１は、本発明の第１の実施の形態における吸引ノズルの斜視図である。図１において吸引ノズル５には傾斜面５ｂを有するガイドリブ５ｃが設けられている。他の構成は従来例とまったく同じであり、図３から図９と同じ構成となる。なお、図１のガイドリブ５ｃの位置は、図９のエアフィルター６の横桟６ｃに対向した位置となっている。
【００１６】
このように構成されたフィルタ装置１の動作について説明する。
【００１７】
空気調和機本体１３の運転停止後に、吸引排気装置７が運転開始し、吸い込みダクト３に設置された吸引ノズル５に設けた吸入口５ａから空気を吸い込み始める。そして、エアフィルター６の片側端に位置していた吸引ノズル５が、駆動モータ１０に連結された駆動用ワイヤ９によって、図６に示すように矢印Ａの方向に移動していく。このとき、エアフィルター６がエアフィルター枠２から浮き上がっていても、吸引ノズル５に設けたガイドリブ５ｃの傾斜面５ｂがエアフィルター６の横桟６ｃを押さえつけていくため、エアフィルター６は本体側であるエアフィルター枠２に押し当てられる方向に押されて装着されるので従来のように吸引ノズル５の側面がエアフィルター６に当たって移動できなくなることがない。エアフィルター６の表面に付着した塵埃を吸引ノズル５に設けた吸入口５ａから吸引し、塵埃は吸い込みダクト３、吸引排気装置７を通り、排気ダクト８から室外へ排出される。ここで、吸引ノズル５がエアフィルター６の表面を全面清掃し、反対側の端部まで移動したときに駆動モータ１０は逆回転し、吸引ノズル５は初期の位置に戻る方向に移動して、再度エアフィルター６の表面を清掃することが可能となる。
【００１８】
以上のように、本実施の形態においては、吸引ノズルに摺動方向に動くことでエアフィルターを本体に装着される方向にガイドするガイド部として傾斜状のリブを設けた構成としたことにより、エアフィルターが浮いていたとしても吸引ノズルが動いていくと傾斜状のリブによりエアフィルターを本体に装着できるため、吸引ノズルの側面がエアフィルターに当たってしまうことがなく、掃除機能を確保することが可能である。
【００１９】
なお、本実施の形態においてガイドリブ５ｃを吸引ノズルの片側のみに配した構成としたが、左右両側にガイドリブ５ｃを配してもよいことは言うまでもない。
【００２０】
（実施の形態２）
図２は本発明の第２の実施の形態の吸引ノズルの斜視図である。図２において吸引ノズル５にはローラー５ｄが設けられている。他の構成は実施の形態１とまったく同じである。なお、図２のローラー５ｄの位置は、図９のエアフィルター６の横桟６ｃに対向した位置となっている。
【００２１】
実施の形態１の傾斜状のガイドリブに替えて、ガイド部をローラーで構成したものであり、エアフィルターが浮いていた場合に吸引ノズルが摺動方向に動くことでエアフィルターを本体に装着する方向にガイドする際の操作力が、ローラーで構成しているために非常に小さくすることが可能であり、吸引ノズルの駆動力を抑えることが可能である。
【００２２】
なお、本実施の形態においてローラーを吸引ノズルの片側のみに配した構成としたが、左右両側に配してもよいことは言うまでもない。
【００２３】
また、当該実施の形態において、ガイド部をエアフィルターが具備する横桟に対向した位置となるように構成すれば、エアフィルターを本体に装着する方向への作用が働き易くなるとともに、比較的脆弱な網の部分を破損することが無い。
【産業上の利用可能性】
【００２４】
以上のように、本発明にかかる空気調和機は、吸引ノズルに、摺動方向に動くことでエアフィルターを本体に装着される方向にガイドするガイド部を構成したことにより、エアフィルターが浮いていたとしても吸引ノズルが動いていくと前記ガイド部でエアフィルターを本体に装着できるため、吸引ノズルの側面がエアフィルターに当たってしまうことがなく、信頼性の高いフィルタ掃除機能を提供することが可能であり、エアフィルターを自動的に清掃する機能を備えた空気調和機に利用できる。
【図面の簡単な説明】
【００２５】
【図１】本発明の実施の形態１における吸引ノズルの斜視図
【図２】本発明の実施の形態２における吸引ノズルの斜視図
【図３】従来の空気調和機の室内ユニットの正面図
【図４】図３における線Ｉ−Ｉに沿った断面図
【図５】図３における線ＩＩ−ＩＩに沿った断面図
【図６】従来の室内ユニットに設けられたフィルタ装置の斜視図
【図７】図６のフィルタ装置の分解斜視図
【図８】従来のフィルタ装置に設けられた吸引ノズルの側面図及び吸引ノズルの正面図
【図９】従来のフィルタ装置を構成するフィルタの斜視図
【符号の説明】
【００２６】
１  フィルタ装置
２  フィルタ枠
３  吸い込みダクト
５  吸引ノズル
５ａ  吸入口
５ｂ  傾斜面
５ｃ  ガイドリブ
５ｄ  ローラー
６  エアフィルター
７  吸引排気装置
【図１】
2008256293.tif 000003
【図２】
2008256293.tif 000004
【図３】
2008256293.tif 000005
【図４】
2008256293.tif 000006
【図５】
2008256293.tif 000007
【図６】
2008256293.tif 000008
【図７】
2008256293.tif 000009
【図８】
2008256293.tif 000010
【図９】
2008256293.tif 000011